(57)【特許請求の範囲】
【請求項１】
裏面に脚部及び格子状のリブを設けた防水床パンの裏面同士を対向させて載置する際に裏面間に介在させる防水床パン積載用の緩衝材であって、一端面に脚部の端部が嵌入される脚部嵌入部を凹設すると共に、前記一端面と反対側の他端面にリブが嵌入されるリブ嵌入部を形成して成ることを特徴とする防水床パン積載用の緩衝材。
【請求項２】
脚部嵌入部として、一端面から所定の深さの大径凹部を凹設すると共に、大径凹部の底面に小径凹部を凹設して成ることを特徴とする請求項１記載の防水床パン積載用の緩衝材。
【発明の詳細な説明】
【技術分野】
【０００１】
本発明は、防水床パンをその裏面同士を対向させて載置する際に介在させる緩衝材に関するものである。
【背景技術】
【０００２】
従来から、製造した防水床パンを保存又は運搬する際に積載するが（例えば特許文献１参照）、積載するにあたって、その裏面同士を対向させて載置する方法が採られている。
【０００３】
防水床パンは、洗い場部及び浴槽部を一体に形成したもので、裏面に脚部及び格子状のリブを備えている。脚部は、主にアジャスターボルトからなり、床スラブ等の床下地上に載置される。また、格子状のリブは、防水床パンの強度を向上させるために洗い場部及び浴槽部の裏面の大部分に形成してある。
【０００４】
この防水床パンを積載するには、図５に示すように、まず二つの防水床パン１の表面側を、一方の洗い場部１１を他方の浴槽部１２と対向すると共に一方の浴槽部１２を他方の洗い場部１１と対向するように重ね合わせて単位ユニットＵを形成する。そして、下側の単位ユニットＵに平面視において重なるように上側の単位ユニットＵを載置して、平面視における面積が大きくならないように積載していくものである。
【０００５】
この時、従来においては、図５に示すように、上下に線対称となるように配置して、上下単位ユニットＵの裏面に緩衝材４’を介在させていた。緩衝材４’には上側と下側の端面にリブ嵌入溝が形成してあり、リブ嵌入溝に上下単位ユニットＵの裏面のリブ３をそれぞれ嵌入させることで、上下単位ユニットＵの相対的な位置を固定することができるものである。
【特許文献１】特開平１１−２４５９４７号公報
【発明の開示】
【発明が解決しようとする課題】
【０００６】
しかしながら、上記従来例においては、上下単位ユニットＵをそれぞれ上下に線対称となるように配置するため、上下両方の裏面から突出する脚部２が同じ位置になってしまい、干渉を避けるため対向する裏面間の距離を脚部２の長さを合わせた長さよりも長くする必要があり、積載した際の高さが高くなってしまうものであった。
【０００７】
本発明は上記従来の問題点に鑑みて発明したものであって、その目的とするところは、  防水床パンの裏面同士を対向させて載置する際、上下の防水床パンの位置決めがなされると共に積載高さが高くなるのを抑える防水床パン積載用の緩衝材を提供することを課題とするものである。
【課題を解決するための手段】
【０００８】
上記課題を解決するために請求項１に係る発明にあっては、裏面に脚部２及び格子状のリブ３を設けた防水床パン１の裏面同士を対向させて載置する際に裏面間に介在させる防水床パン１積載用の緩衝材４であって、一端面に脚部２の端部が嵌入される脚部嵌入部５を凹設すると共に、前記一端面と反対側の他端面にリブ３が嵌入されるリブ嵌入部６を形成して成ることを特徴とするものである。
【０００９】
このような構成とすることで、上側の防水床パン１の洗い場部１１の裏面と、下側の防水床パン１の浴槽部１２の裏面とが対向すると共に、上側の防水床パン１の浴槽部１２の裏面と、下側の防水床パン１の洗い場部１１の裏面とが対向するように、且つ、平面視において上下防水床パン１が重なるようにした状態で、裏面間に緩衝材４を介在させて積載することで、上下の防水床パン１の位置決めを行うと共に積載高さが高くなるのを抑えることが可能となる。
【００１０】
また、請求項２に係る発明は、請求項１に係る発明において、脚部嵌入部５として、一端面から所定の深さの大径凹部５２を凹設すると共に、大径凹部５２の底面に小径凹部５１を凹設して成ることを特徴とするものである。
【００１１】
このような構成とすることで、脚部２の大きさに応じて適当な凹部を大径凹部５２、小径凹部５１のうちから選択して使用することができ、一種類で二種類の脚部２に対応することが可能となるものである。
【発明の効果】
【００１２】
本発明にあっては、上側の防水床パンの洗い場部の裏面と、下側の防水床パンの浴槽部の裏面とが対向すると共に、上側の防水床パンの浴槽部の裏面と、下側の防水床パンの洗い場部の裏面とが対向するように、且つ、平面視において上下防水床パンが重なるようにした状態で、裏面間に緩衝材を介在させて積載することで、上下の脚部の位置をずらして干渉を回避することができて、上下の防水床パンの位置決めを行うと共に積載高さが高くなるのを抑えることが可能となる。
【発明を実施するための最良の形態】
【００１３】
以下、本発明の一実施形態について添付図面に基づいて説明する。
【００１４】
図２に防水床パン１を示す。本例の場合、防水床パン１は洗い場を構成する洗い場部１１と浴槽を構成する浴槽部１２とを一体に設けてある。この防水床パン１や浴槽部１２はＦＲＰ、人造大理石等の樹脂成形品である。防水床パン１の裏面側には格子状のリブ３を一体に設けてあり、このリブ３にて防水床パン１を補強してある。このリブ３は一般的に数十ｃｍ四方で形成され、高さは３０ｍｍ〜６０ｍｍ程度である。本例の場合、浴槽部１２の裏面にもリブ３を一体に設けてある。
【００１５】
防水床パン１には洗い場の水を排水する排水口１３が設けられ、排水口１３には目皿１４が装着される。排水口１３の下には排水トラップ１５が配置され、排水口１３が排水トラップ１５に連通させられている。浴槽部１２の排水口１６は連結管１７にて排水トラップ１５に連通させられており、排水トラップ１５が外部に排水する排水管（図示せず）に連結されている。
【００１６】
上記防水床パン１はアジャターボルトからなる脚部２にて床スラブのような床下地の上に設置される。アジャスターボルトからなる脚部２は、防水床パン１の裏面にアジャスターボルトと螺合するナットを埋設したりして螺合孔を形成し、この防水床パン１の裏面に形成した螺合孔にアジャスターボルトを螺合させる。この時、アジャスターボルトの螺進度合いを変えてアジャスターボルトの突出長さを調節することで、床下地上に設置した際の防水床パン１の設置高さを調節するものである。
【００１７】
この防水床パン１の積載について説明する。防水床パン１を積載するには、まず二つの防水床パン１の表面側を、一方の洗い場部１１を他方の浴槽部１２と対向すると共に一方の浴槽部１２を他方の洗い場部１１と対向するように重ね合わせて単位ユニットＵを形成する。
【００１８】
次に、単位ユニットＵを積載するのであるが、ここで、上側の単位ユニットＵの下側の防水床パン１の洗い場部１１の裏面と、下側の単位ユニットＵの上側の防水床パン１の浴槽部１２の裏面とが対向すると共に、上側の単位ユニットＵの下側の防水床パン１の浴槽部１２の裏面と、下側の単位ユニットＵの上側の防水床パン１の洗い場部１１の裏面とが対向するように、且つ、平面視において上下単位ユニットＵが重なるようにした状態で、緩衝材４を介在させて積載する。
【００１９】
ここで、アジャスターボルトは、本実施形態では、浴槽部１２の洗い場部１１側と反対側の端部（浴槽部１２側端部という）近傍の両側に２箇所、洗い場部１１の浴槽部１２側と反対側の端部（洗い場部１１側端部という）近傍の両側に２箇所、洗い場部１１の浴槽部１２側の端部近傍の両側に２箇所の計６箇所に突設してある。そして、浴槽部１２側端部近傍の２箇所のアジャスターボルトの浴槽部１２側端部からの距離と、洗い場部１１側端部近傍の２箇所のアジャスターボルトの洗い場部１１側端部からの距離は、異なっている。また、洗い場部１１の浴槽部１２側の端部近傍の２箇所のアジャスターボルトは、浴槽部１２側端部と洗い場部１１側端部の中央からいずれかの側にずれた位置に設けてある。これにより、上記のように単位ユニットＵを積載した時に、上側の単位ユニットＵのアジャスターボルトと下側の単位ユニットＵのアジャスターボルトの平面視における位置を異ならせることができる。
【００２０】
緩衝材４は、図１に示すように、一端面に脚部２の端部が嵌入される脚部嵌入部５を凹設すると共に、前記一端面と反対側の他端面にリブ３が嵌入されるリブ嵌入部６を形成したものである。詳述すると、本実施形態では、略円柱状をした本体部４１と、本体部４１の上下の一面（ここでは便宜上、下面）から下方に突出する円筒部４２とで主体が構成される。本体部４１の上面には脚部２としてのアジャスターボルトの下端部（頭部）が嵌入される脚部嵌入部５が凹設してある。また、円筒部４２には、円周角を４等分する位置にそれぞれリブ３の厚みと略同じ幅のスリットを円筒方向に形成してあり、このスリットをリブ嵌入部６としてある。リブ嵌入部６は、防水床パン１の裏面のリブ３が交差する部分を円筒部４２の中心に位置させて、前記交差する部分から４方向に延びるリブ３がそれぞれ４つのリブ嵌入部６に嵌入されて、円筒部４２がリブ３により位置決めされた状態で固定される。
【００２１】
上記緩衝材４は、単位ユニットＵを上下に積載する際、上下の一方の単位ユニットＵの脚部２の端部に緩衝材４の脚部嵌入部５に被嵌させると共に、平面視においてこの脚部２に対応する他方の単位ユニットＵのリブ３に緩衝材４のリブ嵌入部６を被嵌させることで、位置決めを行うことが可能となるものである。この時、図３に示すように上下の脚部２（図３中において、上側の脚部２’、下側の脚部２”）は互いに側方にずれて位置しており、上下方向に回避せずに干渉を回避することができて、積載高さが高くなるのを抑えることが可能となるものである。
【００２２】
また本実施形態では、図１に示すように緩衝材４の脚部嵌入部５として、一端面から所定の深さの大径凹部５２を凹設すると共に、大径凹部５２の底面に小径凹部５１を凹設して、径の異なる凹部を二段形成してある。
【００２３】
このような構成とすることで、脚部２の大きさ（すなわち本実施形態ではアジャスターボルトの頭部の径）に応じて適当な凹部を大径凹部５２、小径凹部５１のうちから選択して使用することができ、一種類で二種類の脚部２に対応することが可能となるものである。
【図面の簡単な説明】
【００２４】
【図１】本発明の一実施形態の緩衝材を示し、（ａ）は上方から見た斜視図であり、（ｂ）は下方から見た斜視図であり、（ｃ）は側断面図である。
【図２】防水床パンの側面図である。
【図３】防水床パンを載積した状態を示し、（ａ）は全体側面図（脚部と緩衝材の嵌合部のみ断面図）であり、（ｂ）は（ａ）のＡ部拡大図である。
【図４】防水床パンを積載した状態の裏面を説明する図である。
【図５】従来の防水床パンを載積した状態の側面図である。
【符号の説明】
【００２５】
１    防水床パン
１１  洗い場部
１２  浴槽部
１３  排水口
１４  目皿
１５  排水トラップ
１６  排水口
１７  連結管
２    脚部
３    リブ
４    緩衝材
４１  本体部
４２  円筒部
５    脚部嵌入部
５１  小径凹部
５２  大径凹部
６    リブ嵌入部
【図１】
0004944722.tif 000002
【図２】
0004944722.tif 000003
【図３】
0004944722.tif 000004
【図４】
0004944722.tif 000005
【図５】
0004944722.tif 000006